(57)【要約】【課題】  指に洗剤が付いていたり指が濡れていたりしても、レバーの自由端を確実に揺動操作することのできる、操作性の高い水栓ハンドル。【解決手段】  レバー（１）の自由端を揺動させて吐水の状態を変化させる本発明の水栓ハンドル（２）では、レバーの裏側に、指を掛けるための突起部（１ｂ）が設けられている。突起部は、水平方向に間隔を隔てた一対の突起（１ｂ）を有する。レバーには、指先の貫通を許容する形状の開口部（１ａ）が設けられている。一対の突起は、開口部の上側において開口部を挟むように設けられている。【選択図】  図２
2008297851.tif 000002
【特許請求の範囲】
【請求項１】
レバーの自由端を揺動させて吐水の状態を変化させるための水栓ハンドルにおいて、
前記レバーの裏側には、指を掛けるための突起部が設けられていることを特徴とする水栓ハンドル。
【請求項２】
前記突起部は、水平方向に間隔を隔てた一対の突起を有することを特徴とする請求項１に記載の水栓ハンドル。
【請求項３】
前記レバーには、指先の貫通を許容する形状の開口部が設けられていることを特徴とする請求項１または２に記載の水栓ハンドル。
【請求項４】
前記一対の突起は、前記開口部の上側において前記開口部を挟むように設けられていることを特徴とする請求項２または３に記載の水栓ハンドル。
【発明の詳細な説明】
【技術分野】
【０００１】
本発明は、水栓ハンドルに関し、例えばキッチンのシンクに隣接して設けられる水栓のハンドルに関するものである。
【背景技術】
【０００２】
例えばキッチンのシンクに隣接して、湯水混合型の水栓が設けられている。この種の水栓のハンドルでは、例えばレバーの自由端を前後に揺動させて吐水量を調節するとともに、レバーの自由端を左右に揺動させて吐水の温度を調節する。
【発明の開示】
【発明が解決しようとする課題】
【０００３】
従来の水栓ハンドルでは、レバーが全体的に比較的滑らかな表面形状を有するため、指に洗剤が付いていたり指が濡れていたりすると、レバーを操作する際に滑り易く、操作性が良くないという不都合があった。特に、レバーの自由端を左右に揺動させて温度調節する際に、最も指が滑り易い。
【０００４】
本発明は、前述の課題に鑑みてなされたものであり、指に洗剤が付いていたり指が濡れていたりしても、レバーの自由端を確実に揺動操作することのできる、操作性の高い水栓ハンドルを提供することを目的とする。
【課題を解決するための手段】
【０００５】
前記課題を解決するために、本発明では、レバーの自由端を揺動させて吐水の状態を変化させるための水栓ハンドルにおいて、
前記レバーの裏側には、指を掛けるための突起部が設けられていることを特徴とする水栓ハンドルを提供する。
【０００６】
本発明の好ましい態様によれば、前記突起部は、水平方向に間隔を隔てた一対の突起を有する。また、前記レバーには、指先の貫通を許容する形状の開口部が設けられていることが好ましい。この場合、前記一対の突起は、前記開口部の上側において前記開口部を挟むように設けられていることが好ましい。
【発明の効果】
【０００７】
本発明の水栓ハンドルでは、レバーの裏側（キッチンの前側から見て裏側）に、指を掛けるための突起部を設けている。したがって、指に洗剤が付いていたり指が濡れていたりしても、レバーの裏側に設けられた突起部に指が掛かって滑りにくくなる。その結果、本発明では、指に洗剤が付いていたり指が濡れていたりしても、レバーの自由端を確実に揺動操作することのできる、操作性の高い水栓ハンドルが得られる。
【０００８】
なお、本発明では、レバーの裏側の突起部として、水平方向に間隔を隔てた一対の突起を設けることが好ましい。この構成により、特にレバーの自由端を左右に揺動させて温度調節する際に、指の両サイドが一対の突起に掛かって滑りにくくなり、水栓ハンドルの操作性が向上する。
【０００９】
また、本発明では、指先の貫通を許容する形状の開口部をレバーに設けることが好ましい。この構成により、指の先を開口部に掛けて、レバーの自由端を確実に揺動操作することができ、水栓ハンドルの操作性が向上する。
【００１０】
また、本発明では、一対の突起を開口部の上側において開口部を挟むように設けることが好ましい。この構成により、例えばレバーの上側から指の先を開口部に掛けたときに、指の両サイドが必然的に一対の突起に掛かって滑りにくくなり、水栓ハンドルの操作性をさらに高めることができる。
【発明を実施するための最良の形態】
【００１１】
本発明の実施形態を、添付図面に基づいて説明する。図１は、本発明の実施形態にかかる水栓ハンドルを備えたキッチンの全体構成を概略的に示す斜視図である。図２は、図１の水栓ハンドルおよびその周辺の要部構成を概略的に示す斜視図である。図３および図４は、本実施形態の水栓ハンドルの基本的な操作を説明する図である。本実施形態では、キッチンのシンクに隣接して設けられる水栓のハンドルに本発明を適用している。
【００１２】
図１に示すキッチンは、床Ｆの上に載置されたベースキャビネットＢＣを備えている。ベースキャビネットＢＣの上部には、キッチンに向かって左側から加熱調理部（ＩＨコンロ、ガスコンロなど）１１と、一対のカウンター１２ａおよび１２ｂとが設けられ、この一対のカウンター１２ａと１２ｂとの間にシンク１３が設けられている。また、シンク１３に隣接して、たとえば湯水混合型の水栓１４が設けられている。
【００１３】
水栓１４は、図２に明瞭に示すように、レバー１の自由端（上端）を揺動させて吐水の状態を変化させるための水栓ハンドル２を備えている。水栓１４では、図３に示すように、水栓ハンドル２のレバー１の自由端を前後に揺動させて吐水量を調節する（ひいては吐水状態と止水状態とを切り換える）。また、図４に示すように、水栓ハンドル２のレバー１の自由端を左右に揺動させて吐水の温度を調節する。
【００１４】
図５は、本実施形態の水栓ハンドルにおけるレバーの特徴的な構成を概略的に示す図であって、（ａ）および（ｂ）は斜視図であり、（ｃ）は上面図である。図５（ａ）および（ｂ）に示すように、水栓ハンドル２のレバー１には、指先の貫通を許容する形状の開口部１ａが設けられている。また、図５（ｂ）および（ｃ）に示すように、レバー１の裏側には、水平方向（左右方向）に間隔を隔てた一対の突起１ｂが設けられている。一対の突起１ｂは、開口部１ａの上側において開口部１ａを挟むように設けられている。
【００１５】
図６および図７は、本実施形態における水栓ハンドルの良好な操作性を説明する図である。本実施形態の水栓ハンドル２では、図６に示すように、例えばレバー１の上側（自由端側）から指先１５を開口部１ａに掛けると、指の両サイドが必然的に一対の突起（図中破線で示す）１ｂに掛かかる。その結果、指に洗剤が付いていたり指が濡れていたりしても、レバー１の自由端を前後に確実に揺動操作することができ、ひいては吐水量を確実に調節することができる。
【００１６】
また、図７に示すように、指先１５が開口部１ａに掛かり且つ指の両サイドが必然的に一対の突起１ｂに掛かった状態で、レバー１の自由端を左右に確実に揺動操作することができ、ひいては吐水の温度を確実に調節することができる。すなわち、本実施形態では、指を掛けるための突起部（１ｂ）をレバー１の裏側に設けているので、指に洗剤が付いていたり指が濡れていたりしても、レバー１の自由端を確実に揺動操作することのできる、操作性の高い水栓ハンドル２が得られる。
【００１７】
なお、上述の実施形態では、レバー１の裏側に、水平方向に間隔を隔てた一対の突起１ｂを設けている。また、上述の実施形態では、一対の突起１ｂが、開口部１ａの上側において開口部１ａを挟むように設けられている。しかしながら、これに限定されることなく、レバー１の裏側に設けるべき突起部の形態、特に突起の数、形状、位置などについては、様々な変形例が可能である。
【００１８】
また、上述の実施形態では、レバー１に、指先の貫通を許容する形状の開口部１ａを設けている。しかしながら、これに限定されることなく、開口部のないレバーの裏側に、指を掛けるための突起部を設けることにより、本発明の効果を得ることができる。
【００１９】
また、上述の実施形態では、レバー１の自由端を前後に揺動させて吐水量を調節し且つ左右に揺動させて吐水の温度を調節する水栓ハンドル２に対して本発明を適用している。しかしながら、これに限定されることなく、例えばレバーの自由端を左右に揺動させて吐水量を調節し且つ前後に揺動させて吐水の温度を調節する水栓ハンドルに対しても同様に本発明を適用することができる。さらに一般的には、レバーの自由端を揺動させて吐水の状態を変化させるための水栓ハンドルに対して本発明を適用することができる。
【００２０】
また、上述の実施形態では、キッチンのシンク１３に隣接して設けられる水栓１４のハンドル２に対して本発明を適用している。しかしながら、これに限定されることなく、例えば洗面化粧台、風呂などに設置される水栓ハンドルに対しても同様に本発明を適用することができる。
【図面の簡単な説明】
【００２１】
【図１】本発明の実施形態にかかる水栓ハンドルを備えたキッチンの全体構成を概略的に示す斜視図である。
【図２】図１の水栓ハンドルおよびその周辺の要部構成を概略的に示す斜視図である。
【図３】本実施形態の水栓ハンドルの基本的な操作を説明する第１の図である。
【図４】本実施形態の水栓ハンドルの基本的な操作を説明する第２の図である。
【図５】本実施形態の水栓ハンドルにおけるレバーの特徴的な構成を概略的に示す図であって、（ａ）および（ｂ）は斜視図であり、（ｃ）は上面図である。
【図６】本実施形態における水栓ハンドルの良好な操作性を説明する第１の図である。
【図７】本実施形態における水栓ハンドルの良好な操作性を説明する第２の図である。
【符号の説明】
【００２２】
１  レバー
１ａ  レバーの開口部
１ｂ  一対の突起
２  水栓ハンドル
１１  加熱調理部
１３  シンク
１４  水栓
【図１】
2008297851.tif 000003
【図２】
2008297851.tif 000004
【図３】
2008297851.tif 000005
【図４】
2008297851.tif 000006
【図５】
2008297851.tif 000007
【図６】
2008297851.tif 000008
【図７】
2008297851.tif 000009